(57)【要約】【課題】フラッシュ発光を行う複数の発光部を備えた撮像装置を用いて平面的な被写体の撮像を行う場合に、撮像装置が被写体に対して正対していなくて斜めに傾いていても、明るさのムラが生じない画像を撮像することができる撮像装置。【解決手段】画面内に中央部の明るさレベルを検出する中央領域、及び前記発光部に各々対応して明るさレベルを検出する複数の周辺領域を設け、所定の被写体に対して複数の前記発光部を同時に発光して撮像を行い画像を取得した後、前記中央領域及び前記周辺領域の明るさレベルを各々検出し、明るさレベルが低い前記周辺領域に関しては前記中央領域の明るさレベルになるように当該発光部の発光時間を延長させ、明るさレベルが高い前記周辺領域に関しては前記中央領域の明るさレベルになるように当該発光部の発光時間を短縮させるべく制御する制御手段を有すること。【選択図】図４
2008298941.tif 000002
【特許請求の範囲】
【請求項１】
フラッシュ発光を行う複数の発光部を備えた撮像装置において、
画面内に中央部の明るさレベルを検出する中央領域、及び前記発光部に各々対応して明るさレベルを検出する複数の周辺領域を設け、
所定の被写体に対して複数の前記発光部を同時に発光して撮像を行い画像を取得した後、前記中央領域及び前記周辺領域の明るさレベルを各々検出し、明るさレベルが低い前記周辺領域に関しては前記中央領域の明るさレベルになるように当該発光部の発光時間を延長させ、明るさレベルが高い前記周辺領域に関しては前記中央領域の明るさレベルになるように当該発光部の発光時間を短縮させるべく制御する制御手段を有することを特徴とする撮像装置。
【請求項２】
所定の発光部から発光したフラッシュ光が主として照射される被写体を撮像する画面内の領域に、当該発光部に対応する前記周辺領域を設けたことを特徴とする請求項１に記載の撮像装置。
【請求項３】
前記制御手段は、レリーズボタンの押下による１段目のスイッチのオンにより光量の少ないプリ発光を行って各発光部の発光時間を変化させ、レリーズボタンの押下による２段目のスイッチのオンにより被写体距離に応じて適正露出になるフラッシュ発光を行うべく制御することを特徴とする請求項１又は請求項２に記載の撮像装置。
【請求項４】
フラッシュ発光を行う複数の発光部を備えた撮像装置において、
画面内の周辺に前記発光部に各々対応する複数の測距領域を有し、各測距領域毎に測距を行う測距手段と、
前記測距手段が各々の前記測距領域にて測距した被写体距離に応じて適正露出となるように各発光部の発光時間を変化させるべく制御する制御手段と、
を備えたことを特徴とする撮像装置。
【請求項５】
所定の発光部から発光したフラッシュ光が主として照射される被写体を撮像する画面内の領域に、当該発光部に対応する前記測距領域を設けたことを特徴とする請求項４に記載の撮像装置。
【請求項６】
前記測距手段は、レリーズボタンの押下による１段目のスイッチのオンにより行った測距結果に基づいて各発光部の発光時間を変化させ、レリーズボタンの押下による２段目のスイッチのオンにより被写体距離に応じて適正露出になるフラッシュ発光を行うべく制御することを特徴とする請求項４又は請求項５に記載の撮像装置。
【請求項７】
スイッチング素子がオフになるまでの時間を変化させることにより、前記発光部の発光時間を変化させることを特徴とする請求項１〜６の何れか１項に記載の撮像装置。
【請求項８】
発光量の制御が終了したことを表示する表示手段を備えたことを特徴とする請求項１〜７の何れか１項に記載の撮像装置。
【発明の詳細な説明】
【技術分野】
【０００１】
本発明は、フラッシュ発光を行う複数の発光部を備えた撮像装置に関する。
【背景技術】
【０００２】
殆どのデジタルカメラにはフラッシュ発光を行う発光部が備えられているので、暗い室内でも容易に撮像が可能である。しかし、発光部を備えたデジタルカメラにおいては撮像レンズと発光部との距離が短いので、壁の近くに人物を配置して撮像したときには、壁に写った人物の影が人物の片方の側に黒い輪郭となり、見苦しい画像となる場合がある。
【０００３】
このような場合の対策として、二つの発光部を備えたデジタルカメラ、即ち撮像装置が特許公報に開示されている。この公報によれば、二つの発光部を別々に発光させて撮像し、２枚の画像データの内より輝度の高いデータを優先して２枚の画像データを合成して１枚の画像を生成するものである。（特許文献１参照）。
【０００４】
また、例えば歯の治療や歯の美容整形の際に、歯を撮像することがある。この場合は、数十センチの距離の接写となるので、従来の如き１個の発光部のみで発光させると、撮像レンズを中心にして発光部がある側と発光部がない側とで撮像した歯の明るさが異なるので、正確な診断ができない。従って、特に接写を行う場合には、発光部は少なくとも撮像レンズの左右に１個ずつ設けられていることが望ましい。
【特許文献１】特開平１１−１９６３２５号公報
【発明の開示】
【発明が解決しようとする課題】
【０００５】
上記の如く、特に接写を行う場合には、発光部を少なくとも撮像レンズの左右に１個ずつ設けて左右から同時に発光させることができる撮像装置が望ましい。
【０００６】
このような撮像装置を用い、比較的平面な被写体を撮像する場合に、下記のような問題が生ずることがある。即ち、撮像場所等の制約によって撮像装置の撮像レンズを平面な被写体に正対させることができず、斜めから撮像することがある。また、カメラに不慣れな人は撮像場所等に制約がなくても斜めから撮像してしまうことがある。例えば、発光部が撮像レンズの左右に配置されている撮像装置を用い、斜めから撮像した場合には、右側の発光部と被写体との距離と、左側の発光部と被写体との距離とが異なってくる。通常は左右の発光部からの発光量が等しくなるように設定されているので、被写体に対して遠い側の発光部から発光したフラッシュ光が主として照射される被写体の撮像領域は露出不足になり、被写体に対して近い側の発光部から発光したフラッシュ光が主として照射される被写体の撮像領域は露出過度になって、撮像した画像が左右で明るさのムラになる。
【０００７】
本発明はかかる問題に鑑みてなされたものであり、フラッシュ発光を行う複数の発光部を備えた撮像装置を用いて平面的な被写体の撮像を行う場合に、撮像装置が被写体に対して正対していなくて斜めに傾いていても、明るさのムラが生じない画像を撮像することができる撮像装置を提案することを目的とする。
【課題を解決するための手段】
【０００８】
本発明の撮像装置は、フラッシュ発光を行う複数の発光部を備えた撮像装置において、画面内に中央部の明るさレベルを検出する中央領域、及び前記発光部に各々対応して明るさレベルを検出する複数の周辺領域を設け、所定の被写体に対して複数の前記発光部を同時に発光して撮像を行い画像を取得した後、前記中央領域及び前記周辺領域の明るさレベルを各々検出し、明るさレベルが低い前記周辺領域に関しては前記中央領域の明るさレベルになるように当該発光部の発光時間を延長させ、明るさレベルが高い前記周辺領域に関しては前記中央領域の明るさレベルになるように当該発光部の発光時間を短縮させるべく制御する制御手段を有することを特徴とする。
【０００９】
また、本発明の撮像装置は、フラッシュ発光を行う複数の発光部を備えた撮像装置において、画面内の周辺に前記発光部に各々対応する複数の測距領域を有し、各測距領域毎に測距を行う測距手段と、前記測距手段が各々の前記測距領域にて測距した被写体距離に応じて適正露出となるように各発光部の発光時間を変化させるべく制御する制御手段と、を備えたことを特徴とする。
【発明の効果】
【００１０】
本発明の撮像装置によれば、フラッシュ発光を行う複数の発光部を備え、平面的な被写体の撮像を行う場合に、撮像装置が被写体に対して正対していなくて斜めに傾いていても、フラッシュ光の補正を行うので、明るさのムラが生じない画像を撮像することができる。従って、特に接写を行うときに効果が大きく、例えば歯の治療や歯の美容整形の際に均一な明るさで歯を撮像することができ、正確な診断が可能になる。
【発明を実施するための最良の形態】
【００１１】
先ず、本発明の撮像装置の一例を図１を参照して説明する。図１は撮像装置の外観図であり、図１（Ａ）は撮像装置の上面図、図１（Ｂ）は撮像装置の正面図である。
【００１２】
図１（Ｂ）に示す如く、撮像装置１の正面中央にはズームレンズである撮像レンズ１１が配置されている。撮像レンズ１１の右側にはフラッシュ発光を行う発光部１２が配置され、撮像レンズ１１の左側にもフラッシュ発光を行う発光部１３が配置されている。
【００１３】
図１（Ａ）に示す如く、撮像装置１の上面には撮像装置１内部の電子回路の電源に対してオン・オフを行う電源釦１４が配置され、その隣にはレリーズ釦１５が配置されている。
【００１４】
撮像装置１の背面には、通常撮像モード、動画撮像モード、再生モード、セットアップモード、プリントモード等を行うモードダイヤル１６が配置され、その隣にはズームアップ及びズームダウンを行うズーム釦１７が配置されている。また、不図示であるが、メニュー釦、４方向スイッチからなる選択釦、セット釦、ＬＣＤからなり撮像した画像を表示する表示部等が配置されている。各種のメニューについてもメニュー釦で前記表示部に表示させ、選択釦で選択した後、セット釦で確定する。また、撮像記録した画像を消去する消去釦も配置されている。
【００１５】
撮像装置１の底面には、不図示であるが、三脚座、ＡＣアダプタの接続端子、外部機器との接続のための接続端子等が配置されている。
【００１６】
撮像装置１の側面には、不図示であるが、撮像装置１内部の電子回路の電源となる電池を収納する電池室の蓋、画像記録を行うメモリカードを収納するメモリカード室の蓋等が配置されている。
【００１７】
次に、撮像装置１の主要構成部のブロック図を図２を参照して説明する。
【００１８】
被写体の光像は撮像レンズ１１に対応する撮像レンズ２１により撮像素子であるＣＣＤ２２に結像する。無論、ＣＣＤに代えてＣＭＯＳを用いてもよい。ＣＣＤ２２は赤色光（Ｒ）、緑色光（Ｇ）、青色光（Ｂ）の各色透過フィルタが画素単位で配置されたカラーエリアセンサであり、被写体の光像をＲ，Ｇ，Ｂの各色成分の画像信号に光電変換する。
【００１９】
画像信号は不図示のＣＤＳ回路やＡＧＣ回路を経てＡ／Ｄ変換部２３でデジタル信号に変換される。
【００２０】
続いて、画像信号は画像処理部２４で黒レベル補正やシューディング補正等の画像処理がされ、記録部２５に記録される。また、画像信号はＬＣＤからなる表示部２６に視認可能な画像として表示される。
【００２１】
ＣＰＵ２７は各回路を制御するマイクロコンピュータである。ＣＰＵ２７はＡＥ・ＡＦ回路２８（測距手段）を駆動し、撮像レンズ２１に付随する絞りを被写体輝度に応じて設定するＡＥ制御や、被写体の光像がＣＣＤ２２に合焦するように撮像レンズ２１を被写体距離に応じて移動させるＡＦ制御を行う。
【００２２】
また、ＣＰＵ２７にはＲＡＭからなる記憶部２９やスイッチＳ１，Ｓ２が接続されている。スイッチＳ１はレリーズボタン１５を途中まで押下したときにオンになり、スイッチＳ２はレリーズボタン１５を充分に押下したときにオンになる。
【００２３】
更に、ＣＰＵ２７はストロボ制御回路３１を制御し、ストロボ制御回路３１はストロボ回路４０を制御してフラッシュ発光を行う。
【００２４】
ストロボ回路４０は一つの昇圧回路４１と二つの発光回路５０，６０とからなる。発光回路５０，６０はストロボ光（フラッシュ光）を発光するキセノン管５１，６１、キセノン管５１，６１の発光を開始させるトリガ回路５２，６２、キセノン管５１，６１の発光時間を制御するスイッチング素子であるＩＧＢＴ５３，６３、ストロボ光を発光するための電荷を充電するメインコンデンサ５４，６４からなる。なお、トリガ回路５２，６２はトリガコイル、トリガコンデンサ、サイリスタ等からなる。
【００２５】
また、発光回路５０からのストロボ光は発光部１２から発光し、発光回路６０からのストロボ光は発光部１３から発光するものとする。
【００２６】
ＣＰＵ２７の指令よりストロボ制御回路３１は昇圧回路４１を作動させて電源電圧を高圧に昇圧させ、予めメインコンデンサ５４，６４やトリガコンデンサの充電を行っておく。撮像が開始されると、ＣＰＵ２７の指令よりストロボ制御回路３１はＩＧＢＴ５３，６３をオンにさせる。続いて、ストロボ制御回路３１はトリガ回路５２，６２のサイリスタをオンにしてトリガコンデンサの放電によりトリガコイルの二次側に高圧を掛けると、キセノン管５１，６１はメインコンデンサ５４，６４の電荷により発光を開始する。キセノン管５１，６１の発光中にＣＰＵ２７の指令よりストロボ制御回路３１がＩＧＢＴ５３，６３をオフにすると、キセノン管５１，６１の発光が停止する。
【００２７】
なお、ＡＥ・ＡＦ回路２８により測距した撮像距離に基づいて、ＣＰＵ２７はストロボ制御回路３１にＩＧＢＴ５３，６３をオフにするタイミングを制御する。即ち、撮像距離が短いならばＩＧＢＴ５３，６３をオフにするタイミングを早くしてキセノン管５１，６１からの発光量を少なくし、撮像距離が長いならばＩＧＢＴ５３，６３をオフにするタイミングを遅くしてキセノン管５１，６１からの発光量を多くして、撮像した画像を適正露出にする。
【００２８】
図３に発光回路５０のタイミングチャートを示す。
【００２９】
発光部１２から発光させる場合は、ＣＰＵ２７はストロボ回路制御回路３１を作動させ、発光回路５０のＩＧＢＴ５３をオンにする。続いて、トリガ回路５２のサイリスタをオンにすることにより、キセノン管５１は発光を開始する。撮像距離に応じた所定の時間が経過した後に、ＩＧＢＴ５３をオフにすれば、キセノン管５１の発光は停止する。
【００３０】
発光部１３から発光させるために発光回路６０を作動させるときも同様である。
【００３１】
ここで、通常の撮像時には図１に示すモードダイヤル１６にて通常撮像モードを選択し、キセノン管５１，６１、即ち発光部１２，１３の双方を同時に発光させて撮像する。このように発光部１２，１３を同時に発光させる場合は、一つの発光部を発光させる場合と比較して、個々の発光量は１／２でよい。
【００３２】
従って、被写体の後方に壁等があったときには、壁に写る影は和らげられる。また、接写時に、一つの発光部を発光させる場合には撮像画面における左右の明るさが異なってムラになるが、二つの発光部を発光させる場合は撮像画面における左右の明るさが均一になってムラになることがない。
【００３３】
二つの発光部を同時に発光させる場合には上記の様な利点があるが、平面的な被写体を撮像する場合に、被写体に対して撮像装置が正対していなく、斜めから撮像したときには、右側の発光部と被写体との距離と、左側の発光部と被写体との距離とが異なってくる。通常は左右の発光部からの発光量が等しくなるように設定されているので、被写体に対して遠い側の発光部で撮像した領域は露出不足になり、被写体に対して近い側の発光部で撮像した領域は露出過度になって、撮像した画像が左右で明るさのムラになる。
【００３４】
この問題を解決するために、本撮像装置は二つの発光部の発光量を自動的に調整して発光量が略等しくなるように補正する。
【００３５】
以下に、二つの発光部の発光量を自動的に補正する２種の実施の形態について説明する。
［第１の実施の形態］
第１の実施の形態を図４のフローチャートを中心に説明する。
【００３６】
撮像を行うときには、撮像モードに設定し、表示部２６にて被写体の構図を決める（Ｓ１０１）。続いて、レリーズボタン１５を途中まで押下し、１段目のスイッチＳ１がオンになったならば（Ｓ１０２のＹ）、これを検出したＣＰＵ２７はＡＥ・ＡＦ回路２８を制御して測光と測距とを行わせ（Ｓ１０３）、また、ストロボ制御回路３１を制御してキセノン管５１，６１を同時にプリ発光させる（Ｓ１０４）。即ち、発光部１２，１３からストロボ光を同時にプリ発光させる。プリ発光においては、メインコンデンサ５４，６４の電荷を全て発光させるのではなく、例えば本発光の１／３０程度の発光量でよい。従って、適正露出にするためには全く光量不足であるが、後述するように明るさレベルの比較のためであるので、これで充分である。
【００３７】
また、ＬＥＤ等の別の光源を設け、プリ発光時にこれを発光させてもよい。
【００３８】
そして、プリ発光により取得した画像を記録部２５に記録すると共に、ＣＰＵ２７は該画像における中央領域の明るさレベル、及び各発光部に各々対応する周辺領域の明るさレベルを各々検出し、比較する（Ｓ１０５）。
【００３９】
具体的には、図５を参照して説明する。図５はプリ発光して撮像したときにＣＣＤ２２に結像した画面の図である。
【００４０】
撮像した画面５において、中央領域５ａ、周辺領域５ｂ及び周辺領域を５ｃを設定する。中央領域５ａは発光部１２，１３の双方からのストロボ光が同等に照射される画像の中央領域であり、周辺領域５ｂは主として発光部１２からのストロボ光が照射される領域であり、周辺領域５ｃは主として発光部１３からのストロボ光が照射される領域である。
【００４１】
ＣＰＵ２７は、中央領域５ａ、周辺領域５ｂ及び周辺領域５ｃの明るさレベルを抽出する。具体的には、各領域の全ての画素の明るさを０〜２５５の８ビットに分割し、明るさの平均値を算出する。そして、この値を記憶部２９に記憶する。続いて、ＣＰＵ２７は記憶部２９から各領域の明るさレベルを取り出し、周辺領域５ｂ及び周辺領域５ｃの明るさレベルを中央領域５ａの明るさレベルと各々比較する。
【００４２】
なお、必ずしも画像の中央部の画素の明るさレベルを平均する必要はなく、明るさレベルを代表する値ならば中央値等であってもよい。
【００４３】
例えば、図６に示す如く、平面的な被写体３に対して、被写体距離が発光部１２の側が遠く、発光部１３の側が近くなるように撮像装置１が傾いていたとする。図６において、撮像装置１と被写体３との間の斜線は実線が撮像レンズへの入射光路、破線は発光部１２，１３からのストロボ光の照射光路を示す。発光部１３と被写体３との距離は近いので、ストロボ光は被写体３により強く照射され、ＣＣＤ２２に結像した画面５においては中央領域５ａの明るさレベルより周辺領域５ｃの明るさレベルの方が高くなる。一方、発光部１２と被写体３との距離は遠いので、ストロボ光は被写体３により弱く照射され、画面５においては中央領域５ａの明るさレベルより周辺領域５ｂの明るさレベルの方が低くなる。
【００４４】
なお、ＣＣＤ２２に結像した画面５においては被写体像が上下左右に逆像になるので、例えば右側にある被写体が画面５においては左側に結像する。
【００４５】
このように、周辺領域５ｂ及び周辺領域５ｃの明るさレベルと中央領域５ａの明るさレベルとに差がある場合には（Ｓ１０６のＹ）、発光回路６０におけるＩＧＢＴ５３，６３のオン時間、即ちＩＧＢＴ５３，６３がオフになるまでの時間を変化させる。
【００４６】
上記の如く、ＣＣＤ２２に結像した画面５において、中央領域５ａの明るさレベルより周辺領域５ｃの明るさレベルの方が高く周辺領域５ｂの明るさレベルの方が低くなったときには、ＣＰＵ２７は発光部１２に対応する発光回路５０からのストロボ光が強くなるようにＩＧＢＴ５３のオン時間を長くし、発光部１３に対応する発光回路６０からのストロボ光が弱くなるようにＩＧＢＴ６３のオン時間を短くするように制御する。
【００４７】
なお、明るさレベルの差の値に対応するＩＧＢＴ５３，６３のオン時間の変化量に関しては、予めテーブルとして記憶部２９に記憶しておく。
【００４８】
このようにＩＧＢＴ５３，６３のオン時間を補正した後は（Ｓ１０７）、発光量の制御が終了した旨を表示部２６に表示する（１０８）。
【００４９】
続いて、レリーズボタン１５を更に押下すれば、２段目のスイッチＳ２がオンになり（Ｓ１０９のＹ）、ＣＰＵ２７はストロボ制御回路３１を制御し被写体距離に応じて適正露出になる光量でキセノン管５１，６１より発光させる本発光を行うが（Ｓ１１０）、上述の如くＩＧＢＴ５３，６３のオン時間が補正されている。この状態で画像を記録部２５に記録する（Ｓ１１１）。従って、被写体３が傾いていても画面５において画像の明るさレベルが均一に記録される。
【００５０】
なお、周辺領域５ｂ及び周辺領域５ｃの明るさレベルと中央領域５ａの明るさレベルとに差がない場合には（Ｓ１０６のＮ）、ＩＧＢＴ５３，６３のオン時間の補正をせず、表示部２６に表示することもなく、スイッチＳ２のオンより（Ｓ１０９のＹ）、通常の発光制御を行って（Ｓ１１０）、画像記録する（Ｓ１１１）。
【００５１】
以上の実施の形態に関し、発光部１２，１３や発光回路５０，６０は２組であったが、場合によっては発光部を上下左右に設けると共に発光回路を４組設けるようにして、上下左右の被写体の傾きに対応できるようにしてもよい。
［第２の実施の形態］
第２の実施の形態を図７のフローチャートを中心に説明する。
【００５２】
撮像を行うときには、撮像モードに設定し、表示部２６にて被写体の構図を決める（Ｓ２０１）。続いて、レリーズボタン１５を途中まで押下し、１段目のスイッチＳ１がオンになったならば（Ｓ２０２のＹ）、これを検出したＣＰＵ２７はＡＥ・ＡＦ回路２８を制御して測光と測距とを行わせる（Ｓ２０３）。
【００５３】
ここで、図８に示す如く、ＣＣＤ２２に結像した画面７においては、測距領域７ａと測距領域７ｂが設定されており、これらの各領域で各々測距を行う。
【００５４】
従って、例えば第１の実施の形態の図６に示した如く、平面的な被写体３に対して被写体距離が発光部１２の側が遠く、発光部１３の側が近くなるように撮像装置１が傾いていたならば、測距領域７ａで測距した被写体距離は遠距離に、測距領域７ｂで測距した被写体距離は近距離に検出される。
【００５５】
このように、測距領域７ａと測距領域７ｂとの測距結果に差があるならば（Ｓ２０４のＹ）、検出した被写体距離に応じて適正露出になるようにＩＧＢＴ５３，６３のオン時間の補正を行う（Ｓ２０５）。被写体距離に対応したＩＧＢＴ５３，６３のオン時間は予め記憶部２９にテーブルとして記憶しておき、ＣＰＵ２７はこれを呼び出してストロボ制御回路３１を制御する。
【００５６】
そして、発光量の制御が終了した旨を表示部２６に表示する（２０６）。
【００５７】
続いて、レリーズボタン１５を更に押下すれば、２段目のスイッチＳ２がオンになり（Ｓ２０７のＹ）、ＣＰＵ２７はストロボ制御回路３１を制御し補正したＩＧＢＴ５３，６３のオン時間に基づいてキセノン管５１，６１より発光させて（Ｓ２０８）、撮像し、画像を記録部２５に記録する（Ｓ２０９）。従って、被写体３が傾いていても画面５において画像の明るさレベルが均一に記録される。
【００５８】
なお、測距領域５ａと測距領域５ｂとの測距結果に差がない場合には（Ｓ２０４のＮ）、ＩＧＢＴ５３，６３のオン時間の補正をせず、表示部２６に表示することもなく、スイッチＳ２のオンより（Ｓ２０７のＹ）、通常の発光制御を行って（Ｓ２０８）、画像記録する（Ｓ２０９）。
【００５９】
以上の実施の形態に関し、測距領域７ａと測距領域７ｂ、発光部１２，１３及び発光回路５０，６０はそれぞれ２組であったが、場合によっては測距領域を左右上下に設けると共に発光部を上下左右に設けて発光回路を４組設けるようにして、上下左右の被写体の傾きに対応できるようにしてもよい。
【図面の簡単な説明】
【００６０】
【図１】撮像装置の外観図である。
【図２】撮像装置の主要構成部のブロック図
【図３】発光部の発光を示すタイミングチャートである。
【図４】第１の実施の形態を説明するフローチャートである。
【図５】撮像した画面における中央領域と周辺領域の図である。
【図６】撮像装置を被写体に対して傾けて設置した状態の上面図である。
【図７】第２の実施の形態を説明するフローチャートである。
【図８】撮像した画面における測距領域の図である。
【符号の説明】
【００６１】
１  撮像装置
３  被写体
５，７  画面
５ａ  中央領域
５ｂ，５ｃ  周辺領域
７ａ，７ｂ  測距領域
１１，２１  撮像レンズ
１２，１３  発光部
１５  レリーズ釦
２２  ＣＣＤ
２５  記録部
２６  表示部
２７  ＣＰＵ
２８  ＡＥ・ＡＦ回路
２９  記憶部
３１  ストロボ制御回路
４０  ストロボ回路
４１  昇圧回路
５０，６０  発光回路
５１，６１  キセノン管
５２，６２  トリガ回路
５３，６３  ＩＧＢＴ
５４，６４  メインコンデンサ
Ｓ１，Ｓ２  スイッチ
【図１】
2008298941.tif 000003
【図２】
2008298941.tif 000004
【図３】
2008298941.tif 000005
【図４】
2008298941.tif 000006
【図５】
2008298941.tif 000007
【図６】
2008298941.tif 000008
【図７】
2008298941.tif 000009
【図８】
2008298941.tif 000010